(57)【要約】  無線フレーム構成に関するサポートされるスロットフォーマットの情報が、サポートされる時分割多重化用スロットフォーマットが列挙されているリストの形態で用意され、サポートされるスロットフォーマットの情報はネットワーク制御デバイスにシグナリングされ、使用される無線フレーム構成の情報が、スロットの数である長さＭを有するベクトルの形態で用意され、ベクトルのｉ番目の要素は、サポートされるスロットフォーマットの情報のリスト中のエントリを示す数によって、ｉ番目のスロットにおいて使用されるスロットフォーマットを示しており、１≦ｉ≦Ｍであり、使用される無線フレーム構成の情報はネットワーク制御デバイスにシグナリングされる、方法および装置について記載する。【選択図】図２Ａ
2021525490.tif 000002
【特許請求の範囲】
【請求項１】
少なくとも１つのプロセッサとコンピュータプログラムコードを含む少なくとも１つのメモリとを備える装置であって、前記少なくとも１つのメモリおよび前記コンピュータプログラムコードは、前記少なくとも１つのプロセッサと共に、前記装置に少なくとも、
サポートされる時分割多重化用スロットフォーマットが列挙されているリストの形態の、無線フレーム構成に関するサポートされるスロットフォーマットの情報を用意させ、
前記サポートされるスロットフォーマットの情報をネットワーク制御デバイスにシグナリングさせ、
スロットの数である長さＭを有するベクトルの形態の、使用される無線フレーム構成の情報を用意させ、前記ベクトルのｉ番目の要素は、前記サポートされるスロットフォーマットの情報の前記リスト中のエントリを示す数によって、ｉ番目のスロットにおいて使用されるスロットフォーマットを示しており、１≦ｉ≦Ｍであり、
前記使用される無線フレーム構成の情報を前記ネットワーク制御デバイスにシグナリングさせる
ように構成されている、装置。
【請求項２】
前記サポートされるスロットフォーマットの情報の前記リスト中の前記サポートされるスロットフォーマットは、複数の所定のスロットフォーマットからのサブセットである、請求項１に記載の装置。
【請求項３】
前記サポートされるスロットフォーマットの情報中の前記サポートされるスロットフォーマットの数はＮであり、
前記サポートされるスロットフォーマットの情報の前記リスト中のエントリを示す前記数は数字によって表現され、前記数字の数はＮを表現するために必要な数字の数である、
請求項１または２に記載の装置。
【請求項４】
前記少なくとも１つのメモリおよび前記コンピュータプログラムコードは、前記少なくとも１つのプロセッサと共に、前記装置に更に、
クロスリンク干渉感度ベクトルの形態の、クロスリンク干渉に対する様々な前記スロットの感度を示すクロスリンク干渉感度情報を用意させ、前記クロスリンク干渉感度ベクトルは長さＭを有し、前記クロスリンク干渉感度ベクトルのｋ番目の要素はｋ番目のスロットにおけるクロスリンク干渉感度を示しており、１≦Ｋ≦Ｍであり、
前記クロスリンク干渉感度ベクトルを前記ネットワーク制御デバイスにシグナリングさせる
ように構成されている、請求項１〜３のいずれか１項に記載の装置。
【請求項５】
前記クロスリンク干渉感度は所定数のレベルに量子化される、請求項４に記載の装置。
【請求項６】
前記クロスリンク干渉感度を表現するための数字の数は、前記クロスリンク干渉感度の最高のレベルを表現するのに必要な数字の数である、請求項５に記載の装置。
【請求項７】
前記少なくとも１つのメモリおよび前記コンピュータプログラムコードは、前記少なくとも１つのプロセッサと共に、前記装置に更に、
前記クロスリンク干渉感度ベクトルが適用される搬送周波数を前記ネットワーク制御デバイスにシグナリングさせる
ように構成されている、請求項４〜６のいずれか１項に記載の装置。
【請求項８】
少なくとも１つのプロセッサとコンピュータプログラムコードを含む少なくとも１つのメモリとを備える装置であって、前記少なくとも１つのメモリおよび前記コンピュータプログラムコードは、前記少なくとも１つのプロセッサと共に、前記装置に少なくとも、
スロットの数である長さＭを有するクロスリンク干渉感度ベクトルの形態の、クロスリンク干渉に対する様々なスロットの感度を示すクロスリンク干渉感度情報を用意させ、前記クロスリンク干渉感度ベクトルのｋ番目の要素はｋ番目のスロットにおけるクロスリンク干渉感度を示しており、１≦Ｋ≦Ｍであり、
前記クロスリンク干渉感度ベクトルをネットワーク制御デバイスにシグナリングさせる
ように構成されている、装置。
【請求項９】
前記クロスリンク干渉感度は所定数のレベルに量子化される、請求項８に記載の装置。
【請求項１０】
前記クロスリンク干渉感度を表現するための数字の数は、前記クロスリンク干渉感度の最高のレベルを表現するのに必要な数字の数である、請求項９に記載の装置。
【請求項１１】
前記少なくとも１つのメモリおよび前記コンピュータプログラムコードは、前記少なくとも１つのプロセッサと共に、前記装置に更に、
前記クロスリンク干渉感度ベクトルが適用される搬送周波数を前記ネットワーク制御デバイスにシグナリングさせる
ように構成されている、請求項８〜１０のいずれか１項に記載の装置。
【請求項１２】
少なくとも１つのプロセッサとコンピュータプログラムコードを含む少なくとも１つのメモリとを備える装置であって、前記少なくとも１つのメモリおよび前記コンピュータプログラムコードは、前記少なくとも１つのプロセッサと共に、前記装置に少なくとも、
ネットワーク制御デバイスから、サポートされる時分割多重化用スロットフォーマットが列挙されているリストの形態の、無線フレーム構成に関するサポートされるスロットフォーマットの情報を受信させ、
前記ネットワーク制御デバイスから、スロットの数である長さＭを有するベクトルの形態の、使用される無線フレーム構成の情報を受信させ、前記ベクトルのｉ番目の要素は、前記サポートされるスロットフォーマットの情報の前記リスト中のエントリを示す数によって、ｉ番目のスロットにおいて使用されるスロットフォーマットを示しており、１≦ｉ≦Ｍである、
ように構成されている、装置。
【請求項１３】
前記サポートされるスロットフォーマットの情報の前記リスト中の前記サポートされるスロットフォーマットは、複数の所定のスロットフォーマットからのサブセットである、請求項１２に記載の装置。
【請求項１４】
前記サポートされるスロットフォーマットの情報中の前記サポートされるスロットフォーマットの数はＮであり、
前記サポートされるスロットフォーマットの情報の前記リスト中のエントリを示す前記数は数字によって表現され、前記数字の数はＮを表現するために必要な数字の数である、
請求項１２または１３に記載の装置。
【請求項１５】
前記少なくとも１つのメモリおよび前記コンピュータプログラムコードは、前記少なくとも１つのプロセッサと共に、前記装置に更に、
前記ネットワーク制御デバイスから、クロスリンク干渉感度ベクトルの形態の、クロスリンク干渉に対する様々な前記スロットの感度を示すクロスリンク干渉感度情報を受信させ、前記クロスリンク干渉感度ベクトルは長さＭを有し、前記クロスリンク干渉感度ベクトルのｋ番目の要素はｋ番目のスロットにおけるクロスリンク干渉感度を示しており、１≦ｋ≦Ｍであり、
前記受信されたクロスリンク干渉感度情報に基づいてスロットフォーマットを適用させる
ように構成されている、請求項１２〜１４のいずれか１項に記載の装置。
【請求項１６】
前記クロスリンク干渉感度は所定数のレベルに量子化される、請求項１５に記載の装置。
【請求項１７】
前記を表現するための数字の数は、前記クロスリンク干渉感度の最高のレベルを表現するのに必要な数字の数である、請求項１６に記載の装置。
【請求項１８】
前記少なくとも１つのメモリおよび前記コンピュータプログラムコードは、前記少なくとも１つのプロセッサと共に、前記装置に更に、
前記ネットワーク制御デバイスから前記クロスリンク干渉感度ベクトルが適用される搬送周波数を受信させる
ように構成されている、請求項１５〜１７のいずれか１項に記載の装置。
【請求項１９】
少なくとも１つのプロセッサとコンピュータプログラムコードを含む少なくとも１つのメモリとを備える装置であって、前記少なくとも１つのメモリおよび前記コンピュータプログラムコードは、前記少なくとも１つのプロセッサと共に、前記装置に少なくとも、
ネットワーク制御デバイスから、クロスリンク干渉感度ベクトルの形態の、クロスリンク干渉に対する様々なスロットの感度を示すクロスリンク干渉感度情報を受信させ、前記クロスリンク干渉感度ベクトルはスロットの数である長さＭを有し、前記クロスリンク干渉感度ベクトルのｋ番目の要素はｋ番目のスロットにおけるクロスリンク干渉感度を示しており、１≦ｋ≦Ｍであり、
前記受信されたクロスリンク干渉感度情報に基づいてスロットフォーマットを適用させる
ように構成されている、装置。
【請求項２０】
前記クロスリンク干渉感度は所定数のレベルに量子化される、請求項１９に記載の装置。
【請求項２１】
前記を表現するための数字の数は、前記クロスリンク干渉感度の最高のレベルを表現するのに必要な数字の数である、請求項２０に記載の装置。
【請求項２２】
前記少なくとも１つのメモリおよび前記コンピュータプログラムコードは、前記少なくとも１つのプロセッサと共に、前記装置に更に、
前記ネットワーク制御デバイスから前記クロスリンク干渉感度ベクトルが適用される搬送周波数を受信させる
ように構成されている、請求項１９〜２１のいずれか１項に記載の装置。
【請求項２３】
サポートされる時分割多重化用スロットフォーマットが列挙されているリストの形態の、無線フレーム構成に関するサポートされるスロットフォーマットの情報を用意することと、
前記サポートされるスロットフォーマットの情報をネットワーク制御デバイスにシグナリングすることと、
スロットの数である長さＭを有するベクトルの形態の、使用される無線フレーム構成の情報を用意することであって、前記ベクトルのｉ番目の要素は、前記サポートされるスロットフォーマットの情報の前記リスト中のエントリを示す数によって、ｉ番目のスロットにおいて使用されるスロットフォーマットを示しており、１≦ｉ≦Ｍである、用意することと、
前記使用される無線フレーム構成の情報を前記ネットワーク制御デバイスにシグナリングすることと、
を含む、方法。
【請求項２４】
スロットの数である長さＭを有するクロスリンク干渉感度ベクトルの形態の、クロスリンク干渉に対する様々なスロットの感度を示すクロスリンク干渉感度情報を用意することであって、前記クロスリンク干渉感度ベクトルのｋ番目の要素はｋ番目のスロットにおけるクロスリンク干渉感度を示しており、１≦ｋ≦Ｍである、用意することと、
前記クロスリンク干渉感度ベクトルをネットワーク制御デバイスにシグナリングすることと、
を含む、方法。
【請求項２５】
ネットワーク制御デバイスから、サポートされる時分割多重化用スロットフォーマットが列挙されているリストの形態の、無線フレーム構成に関するサポートされるスロットフォーマットの情報を受信することと、
前記ネットワーク制御デバイスから、スロットの数である長さＭを有するベクトルの形態の、使用される無線フレーム構成の情報を受信することであって、前記ベクトルのｉ番目の要素は、前記サポートされるスロットフォーマットの情報の前記リスト中のエントリを示す数によって、ｉ番目のスロットにおいて使用されるスロットフォーマットを示しており、１≦ｉ≦Ｍである、受信することと、
を含む、方法。
【請求項２６】
ネットワーク制御デバイスから、クロスリンク干渉感度ベクトルの形態の、クロスリンク干渉に対する様々なスロットの感度を示すクロスリンク干渉感度情報を受信することであって、前記クロスリンク干渉感度ベクトルはスロットの数である長さＭを有し、前記クロスリンク干渉感度ベクトルのｋ番目の要素はｋ番目のスロットにおけるクロスリンク干渉感度を示しており、１≦ｋ≦Ｍである、受信することと、
前記受信されたクロスリンク干渉感度情報に基づいてスロットフォーマットを適用することと、
を含む、方法。
【請求項２７】
処理手段またはモジュールによって実行されたときに請求項２３〜２６のいずれか１項に記載の方法を実行するためのコード手段を備える、コンピュータプログラム製品。
【請求項２８】
前記コンピュータプログラム製品はコンピュータ可読媒体上で具現化されている、ならびに／または、前記コンピュータプログラム製品は、前記コンピュータの内部メモリに直接ロード可能であるならびに／もしくはネットワークを介してアップロード、ダウンロード、およびプッシュ手順のうちの少なくとも１つによって伝送可能である、請求項２７に記載のコンピュータプログラム製品。
【発明の詳細な説明】
【技術分野】
【０００１】
様々な例示の実施形態は、ＮＲ  ＴＤＤ無線フレーム構成およびＣＬＩ感度のｇＮＢ間Ｘｎシグナリングを達成できる装置、方法、およびコンピュータプログラム製品に関する。
【背景技術】
【０００２】
本明細書で使用される略語には以下の意味を適用する：
ＣＬＩ（Ｃｒｏｓｓ  ｌｉｎｋ  ｉｎｔｅｒｆｅｒｅｎｃｅ）  クロスリンク干渉
ＣＳＩ（Ｃｈａｎｎｅｌ  ｓｔａｔｅ  ｉｎｆｏｒｍａｔｉｏｎ）  チャネル状態情報
ｅＩＭＴＡ（Ｅｎｈａｎｃｅｄ  ｉｎｔｅｒｆｅｒｅｎｃｅ  ｍａｎａｇｅｍｅｎｔ  ａｎｄ  ｔｒａｆｆｉｃ  ａｄａｐｔａｔｉｏｎ）  拡張型干渉管理およびトラフィック適合
ＨＡＲＱ（Ｈｙｂｒｉｄ  ａｕｔｏｍａｔｉｃ  ｒｅｐｅａｔ  ｒｅｑｕｅｓｔ）  ハイブリッド自動再送要求
ＩＥ（Ｉｎｆｏｒｍａｔｉｏｎ  Ｅｌｅｍｅｎｔ）  情報エレメント
ＮＲ（Ｎｅｗ  ｒａｄｉｏ）  新無線
ＯＡＭ（Ｏｐｅｒａｔｉｏｎｓ  ａｎｄ  ｍａｉｎｔｅｎａｎｃｅ）  運用および保守
ＯＦＤＭ（Ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）  直交周波数分割多重化アクセス
ＳＣＳ（Ｓｕｂ  ｃａｒｒｉｅｒ  ｓｐａｃｉｎｇ）  サブキャリア間隔
ＴＤＤ（Ｔｉｍｅ  ｄｉｖｉｓｉｏｎ  ｄｕｐｌｅｘｉｎｇ）  時分割多重化
ＵＥ（Ｕｓｅｒ  Ｅｑｕｉｐｍｅｎｔ）  ユーザ装置
ＵＲＬＬＣ（Ｕｌｔｒａ−ｒｅｌｉａｂｌｅ  ｌｏｗ  ｌａｔｅｎｃｙ  ｃｏｍｍｕｎｉｃａｔｉｏｎｓ）高信頼低遅延通信
Ｘｎ（Ｉｎｔｅｒｆａｃｅ  ｂｅｔｗｅｅｎ  ｔｗｏ  ｇＮＢｓ）  ２つのｇＮＢ間の干渉
ＸｎＡＰ（Ｘｎ  ａｐｐｌｉｃａｔｉｏｎ  ｐｒｏｔｏｃｏｌ）  Ｘｎアプリケーションプロトコル
【０００３】
本発明の実施形態は、これに限定されないが、使用される無線構成を２つのｇＮＢ間でＸｎインターフェースを介してシグナリングすることに関する。
【発明の概要】
【発明が解決しようとする課題】
【０００４】
本発明の実施形態はこの状況に対処するもので、使用される無線フレーム構成を２つのネットワーク制御要素間で効果的にシグナリングするための手段を提供することを目的としている。
【課題を解決するための手段】
【０００５】
第１の態様によれば、少なくとも１つのプロセッサとコンピュータプログラムコードを含む少なくとも１つのメモリとを備える装置であって、少なくとも１つのメモリおよびコンピュータプログラムコードは、少なくとも１つのプロセッサと共に、装置に少なくとも、サポートされるＴＤＤ用スロットフォーマットが列挙されているリストの形態の、無線フレーム構成に関するサポートされるスロットフォーマットの情報を用意させ、サポートされるスロットフォーマットの情報をネットワーク制御デバイスにシグナリングさせ、スロットの数である長さＭを有するベクトルの形態の、使用される無線フレーム構成の情報を用意させ、ベクトルのｉ番目の要素は、サポートされるスロットフォーマットの情報のリスト中のエントリを示す数によって、ｉ番目のスロットにおいて使用されるスロットフォーマットを示しており、１≦ｉ≦Ｍであり、使用される無線フレーム構成の情報をネットワーク制御デバイスにシグナリングさせるように構成されている、装置が提供される。
【０００６】
第２の態様によれば、サポートされるＴＤＤ用スロットフォーマットが列挙されているリストの形態の、無線フレーム構成に関するサポートされるスロットフォーマットの情報を用意することと、サポートされるスロットフォーマットの情報をネットワーク制御デバイスにシグナリングすることと、スロットの数である長さＭを有するベクトルの形態の、使用される無線フレーム構成の情報を用意することであって、ベクトルのｉ番目の要素は、サポートされるスロットフォーマットの情報のリスト中のエントリを示す数によって、ｉ番目のスロットにおいて使用されるスロットフォーマットを示しており、１≦ｉ≦Ｍである、用意することと、使用される無線フレーム構成の情報をネットワーク制御デバイスにシグナリングすることと、を含む、方法が提供される。
【０００７】
第１および第２の態様は以下のように修正できる。
【０００８】
例えば、サポートされるスロットフォーマットの情報のリスト中のサポートされるスロットフォーマットは、複数の所定のスロットフォーマットからのサブセットであってもよい。
【０００９】
サポートされるスロットフォーマットの情報中のサポートされるスロットフォーマットの数はＮであってもよく、サポートされるスロットフォーマットの情報のリスト中のエントリを示す数は数字によって表現されてもよく、この数字の数はＮを表現するために必要な数字の数である。
【００１０】
また更に、クロスリンク干渉に対する様々なスロットの感度を示す、クロスリンク干渉感度情報が、クロスリンク干渉感度ベクトルの形態で用意されてもよく、クロスリンク干渉感度ベクトルは長さＭを有し、クロスリンク干渉感度ベクトルのｋ番目の要素はｋ番目のスロットにおけるクロスリンク干渉感度を示しており、１≦ｋ≦Ｍであり、クロスリンク干渉感度ベクトルはネットワーク制御デバイスにシグナリングされてもよい。
【００１１】
クロスリンク干渉感度は所定数のレベルに量子化され得る。
【００１２】
クロスリンク干渉感度を表現するための数字の数は、クロスリンク干渉感度の最高のレベルを表現するのに必要な数字の数である。
【００１３】
また更に、クロスリンク干渉感度ベクトルが適用される搬送周波数を、ネットワーク制御デバイスにシグナリングしてもよい。
【００１４】
第３の態様によれば、少なくとも１つのプロセッサとコンピュータプログラムコードを含む少なくとも１つのメモリとを備える装置であって、少なくとも１つのメモリおよびコンピュータプログラムコードは、少なくとも１つのプロセッサと共に、装置に少なくとも、スロットの数である長さＭを有するクロスリンク干渉感度ベクトルの形態の、クロスリンク干渉に対する様々なスロットの感度を示すクロスリンク干渉感度情報を用意させ、クロスリンク干渉感度ベクトルのｋ番目の要素はｋ番目のスロットにおけるクロスリンク干渉感度を示しており、１≦ｋ≦Ｍであり、クロスリンク干渉感度ベクトルをネットワーク制御デバイスにシグナリングさせるように構成されている、装置が提供される。
【００１５】
第４の態様によれば、スロットの数である長さＭを有するクロスリンク干渉感度ベクトルの形態の、クロスリンク干渉に対する様々なスロットの感度を示すクロスリンク干渉感度情報を用意することであって、クロスリンク干渉感度ベクトルのｋ番目の要素はｋ番目のスロットにおけるクロスリンク干渉感度を示しており、１≦ｋ≦Ｍである、用意することと、クロスリンク干渉感度ベクトルをネットワーク制御デバイスにシグナリングすることと、を含む、方法が提供される。
【００１６】
第３および第４の態様は以下のように修正できる。
【００１７】
クロスリンク干渉感度は所定数のレベルに量子化され得る。
【００１８】
クロスリンク干渉感度を表現するための数字の数は、クロスリンク干渉感度の最高のレベルを表現するのに必要な数字の数であり得る。
【００１９】
また更に、クロスリンク干渉感度ベクトルが適用される搬送周波数を、ネットワーク制御デバイスにシグナリングしてもよい。
【００２０】
第５の態様によれば、少なくとも１つのプロセッサとコンピュータプログラムコードを含む少なくとも１つのメモリとを備える装置であって、少なくとも１つのメモリおよびコンピュータプログラムコードは、少なくとも１つのプロセッサと共に、装置に少なくとも、ネットワーク制御デバイスから、サポートされるＴＤＤ用スロットフォーマットが列挙されているリストの形態の、無線フレーム構成に関するサポートされるスロットフォーマットの情報を受信させ、ネットワーク制御デバイスから、スロットの数である長さＭを有するベクトルの形態の、使用される無線フレーム構成の情報を受信させ、ベクトルのｉ番目の要素は、サポートされるスロットフォーマットの情報のリスト中のエントリを示す数によって、ｉ番目のスロットにおいて使用されるスロットフォーマットを示しており、１≦ｉ≦Ｍである、ように構成されている、装置が提供される。
【００２１】
第６の態様によれば、
ネットワーク制御デバイスから、サポートされるＴＤＤ用スロットフォーマットが列挙されているリストの形態の、無線フレーム構成に関するサポートされるスロットフォーマットの情報を受信することと、
ネットワーク制御デバイスから、スロットの数である長さＭを有するベクトルの形態の、使用される無線フレーム構成の情報を受信することであって、ベクトルのｉ番目の要素は、サポートされるスロットフォーマットの情報のリスト中のエントリを示す数によって、ｉ番目のスロットにおいて使用されるスロットフォーマットを示しており、１≦ｉ≦Ｍである、受信することと、を含む、方法が提供される。
【００２２】
第５および第６の態様は以下のように修正できる。
【００２３】
サポートされるスロットフォーマットの情報のリスト中のサポートされるスロットフォーマットは、複数の所定のスロットフォーマットからのサブセットであってもよい。
【００２４】
サポートされるスロットフォーマットの情報中のサポートされるスロットフォーマットの数はＮであってもよく、サポートされるスロットフォーマットの情報のリスト中のエントリを示す数は数字によって表現されてもよく、この数字の数はＮを表現するために必要な数字の数である。
【００２５】
また更に、ネットワーク制御デバイスから、クロスリンク干渉に対する様々なスロットの感度を示すクロスリンク干渉感度情報を、クロスリンク干渉感度ベクトルの形態で受信してもよく、クロスリンク干渉感度ベクトルは長さＭを有し、クロスリンク干渉感度ベクトルのｋ番目の要素はｋ番目のスロットにおけるクロスリンク干渉感度を示しており、１≦ｋ≦Ｍであり、受信されたクロスリンク干渉感度情報に基づいてスロットフォーマットを適用してもよい。
【００２６】
クロスリンク干渉感度は所定数のレベルに量子化され得る。
【００２７】
上記を表現するための数字の数は、クロスリンク干渉感度の最高のレベルを表現するのに必要な数字の数であり得る。
【００２８】
また更に、クロスリンク干渉感度ベクトルが適用される搬送周波数を、ネットワーク制御デバイスから受信してもよい。
【００２９】
第７の態様によれば、少なくとも１つのプロセッサとコンピュータプログラムコードを含む少なくとも１つのメモリとを備える装置であって、少なくとも１つのメモリおよびコンピュータプログラムコードは、少なくとも１つのプロセッサと共に、装置に少なくとも、ネットワーク制御デバイスから、クロスリンク干渉感度ベクトルの形態の、クロスリンク干渉に対する様々なスロットの感度を示すクロスリンク干渉感度情報を受信させ、クロスリンク干渉感度ベクトルはスロットの数である長さＭを有し、クロスリンク干渉感度ベクトルのｋ番目の要素はｋ番目のスロットにおけるクロスリンク干渉感度を示しており、１≦ｋ≦Ｍであり、受信されたクロスリンク干渉感度情報に基づいてスロットフォーマットを適用させるように構成されている、装置が提供される。
【００３０】
第８の態様によれば、ネットワーク制御デバイスから、クロスリンク干渉感度ベクトルの形態の、クロスリンク干渉に対する様々なスロットの感度を示すクロスリンク干渉感度情報を受信することであって、クロスリンク干渉感度ベクトルはスロットの数である長さＭを有し、クロスリンク干渉感度ベクトルのｋ番目の要素はｋ番目のスロットにおけるクロスリンク干渉感度を示しており、１≦ｋ≦Ｍである、受信することと、受信されたクロスリンク干渉感度情報に基づいてスロットフォーマットを適用することと、を含む方法が提供される。
【００３１】
第７および第８の態様は以下のように修正できる。
【００３２】
クロスリンク干渉感度は所定数のレベルに量子化され得る。
【００３３】
上記を表現するための数字の数は、クロスリンク干渉感度の最高のレベルを表現するのに必要な数字の数であり得る。
【００３４】
また更に、クロスリンク干渉感度ベクトルが適用される搬送周波数を、ネットワーク制御デバイスから受信してもよい。
【００３５】
本発明の第９の態様によれば、処理手段またはモジュールによって実行されたときに第２、第４、第６、および第８の態様および／またはそれらの修正形態のうちのいずれか１つに従う方法を実行するためのコード手段を備える、コンピュータプログラム製品が提供される。コンピュータプログラム製品はコンピュータ可読媒体上で具現化されてもよく、ならびに／または、コンピュータプログラム製品は、コンピュータの内部メモリに直接ロード可能であってもよく、ならびに／もしくは、ネットワークを介してアップロード、ダウンロード、およびプッシュ手順のうちの少なくとも１つによって伝送可能であってもよい。
【００３６】
第１０の態様によれば、サポートされるＴＤＤ用スロットフォーマットが列挙されているリストの形態の、無線フレーム構成に関するサポートされるスロットフォーマットの情報を用意するための手段と、サポートされるスロットフォーマットの情報をネットワーク制御デバイスにシグナリングすることと、スロットの数である長さＭを有するベクトルの形態の、使用される無線フレーム構成の情報を用意するための手段であって、ベクトルのｉ番目の要素は、サポートされるスロットフォーマットの情報のリスト中のエントリを示す数によって、ｉ番目のスロットにおいて使用されるスロットフォーマットを示しており、１≦ｉ≦Ｍである、用意するための手段と、使用される無線フレーム構成の情報をネットワーク制御デバイスにシグナリングするための手段と、を備える装置が提供される。
【００３７】
第１１の態様によれば、スロットの数である長さＭを有するクロスリンク干渉感度ベクトルの形態の、クロスリンク干渉に対する様々なスロットの感度を示すクロスリンク干渉感度情報を用意するための手段であって、クロスリンク干渉感度ベクトルのｋ番目の要素はｋ番目のスロットにおけるクロスリンク干渉感度を示しており、１≦ｋ≦Ｍである、用意するための手段と、クロスリンク干渉感度ベクトルをネットワーク制御デバイスにシグナリングするための手段と、を備える装置が提供される。
【００３８】
第１２の態様によれば、ネットワーク制御デバイスから、サポートされるＴＤＤ用スロットフォーマットが列挙されているリストの形態の、無線フレーム構成に関するサポートされるスロットフォーマットの情報を受信するための手段と、ネットワーク制御デバイスから、スロットの数である長さＭを有するベクトルの形態の、使用される無線フレーム構成の情報を受信するための手段であって、ベクトルのｉ番目の要素は、サポートされるスロットフォーマットの情報のリスト中のエントリを示す数によって、ｉ番目のスロットにおいて使用されるスロットフォーマットを示しており、１≦ｉ≦Ｍである、受信するための手段と、を含む装置が提供される。
【００３９】
第１３の態様によれば、ネットワーク制御デバイスから、クロスリンク干渉感度ベクトルの形態の、クロスリンク干渉に対する様々なスロットの感度を示すクロスリンク干渉感度情報を受信するための手段であって、クロスリンク干渉感度ベクトルはスロットの数である長さＭを有し、クロスリンク干渉感度ベクトルのｋ番目の要素はｋ番目のスロットにおけるクロスリンク干渉感度を示しており、１≦ｋ≦Ｍである、受信するための手段と、受信されたクロスリンク干渉感度情報に基づいてスロットフォーマットを適用するための手段と、を含む装置が提供される。
【００４０】
これらのおよび他の目的、特徴、詳細、および利点は、添付の図面と関連させて解釈されることになる実施形態の以下の詳細な説明から、より十分に明らかになるであろう。
【図面の簡単な説明】
【００４１】
【図１】ある実施形態に係るｇＮＢ１およびｇＮＢ２を示す図である。
【図２Ａ】ある実施形態に係るｇＮＢ１によって実行される手順のフローチャートである。
【図２Ｂ】ある実施形態に係るｇＮＢ２によって実行される手順のフローチャートである。
【図３Ａ】更なる実施形態に係るｇＮＢ１によって実行される手順のフローチャートである。
【図３Ｂ】更なる実施形態に係るｇＮＢ２によって実行される手順のフローチャートである。
【図４】標準サイクリックプレフィックス用のスロットフォーマットを示す図である（３ＧＰＰ  ＴＳ３８．２１１の表４．３．２−３）。
【発明を実施するための形態】
【００４２】
以下では、例示の実施形態について説明を行う。ただし、この説明は単に例示として与えられること、および、説明される実施形態はいかなる点においても、実施形態をそれらに限定するものと理解すべきではないことが、理解されるべきである。
【００４３】
実施形態は５Ｇ  ＮＲ  ＴＤＤモードに関連しており、使用される無線フレーム構成を２つのｇＮＢ間でＸｎインターフェースを介していかに効果的にシグナリングするかという問題に対処するものである。無線フレーム構成のシグナリングに加えて、追加の利益を加えるいわゆるクロスリンク干渉感度ベクトルシグナリングも提案される。５Ｇ  ＮＲ設計用の非常にフレキシブルなフレーム構造の場合、そのような新しいシグナリング手順を効果的に設計する方法について、新しい問題が生じる。特に、厳密に協調させた静的／半静的ＴＤＤ動作から敏速な動的ＴＤＤのケースにわたるケースを対象とできるようにスケーラブルである必要があるため。実施形態は操作者間のユースケースにも適用可能である。
【００４４】
実施形態について詳細に記載する前に、本願の根底にある問題について、ある程度詳細に記載する。
【００４５】
５Ｇ  ＮＲフレーム構造は、非常にフレキシブルに設計されている。無線フレームは１０ｍｓであり、１ｍｓサブフレームの連なりから成っている。各フレームは５個のサブフレームから成る等サイズの２つの半フレームへと分割され、各々がサブフレーム０〜４から成る半フレーム０およびサブフレーム５〜９から成る半フレーム１を有する。標準サイクリックプレフィックスを有するケースでは、１つのスロットは１４個のＯＦＤＭシンボルから成り、一方、拡張サイクリックプレフィックスおよび６０ｋＨｚのサブキャリア間隔を有するケースでは、１つのスロットはただ１２個のＯＦＤＭシンボルに等しい。サブフレーム／無線フレームあたりのスロットの数は、サブキャリア間隔によって決まる。１５ｋＨｚでは１サブフレームあたり１個のスロットが存在し、３０ｋＨｚでは１サブフレームあたり２個のスロットが存在し、６０ｋＨｚでは１サブフレームあたり４個のスロットが存在し、以下同様である。
【００４６】
図４に示す表（出典：標準サイクリックプレフィックス用のスロットフォーマットを示す、３ＧＰＰ  ＴＳ  ３８．２１１−表４．３．２−３）には、多数の可能なスロットフォーマットが定義されており、ここで「Ｄ」はダウンリンクシンボルを示し、「Ｕ」はアップリンクシンボルを示し、「Ｘ」はフレキシブルである。この場合、「Ｘ」はミューティングを指すか、またはダウンリンクもしくはアップリンク送信に対して用いられ得る。例として、スロットフォーマット０および１は、ダウンリンクのみのスロットおよびアップリンクのみのスロットにそれぞれ対応している。スロットフォーマット３６は、最初に３個のダウンリンク送信シンボル、続いて（ガード期間中ミュートされるように設定され得る）「Ｘ」、および１０個のアップリンク送信を含む。
【００４７】
３ＧＰＰ  ＴＳ  ３８．２１３によれば、ｇＮＢはＵＥに（現在）使用されているスロットフォーマットを通知してもよい。更なる情報は３ＧＰＰ  ＴＳ  ３８．２１３、１１．１項を参照されたい。
【００４８】
各セルに関して、サブキャリア間隔、サイクリックプレフィックス長（標準または拡張）、搬送周波数、キャリア帯域幅のパラメータ化は、ほとんど調整されない「静的」または「半静的」な設定であると想定される。したがって、ｇＮＢは上述したパラメータの設定を、ＧＰＰ  ＴＳ３８．４２３で定義されているＸｎＡＰ手順「ＮＧ−ＲＡＮ  ｎｏｄｅ  Ｃｏｎｆｉｇｕｒａｔｉｏｎ  Ｕｐｄａｔｅ」の一部としてシグナリングできると想定される。
【００４９】
これらのパラメータ化が行われると、１つの１０ｍｓ無線フレームはＭ個のスロットから成ることになり、ここで、１５ｋＨｚ  ＳＣＳではＭ＝１０、３０ｋＨｚではＭ＝２０、６０ｋＨｚ  ＳＣＳではＭ＝４０、および以下同様である。
【００５０】
いくつかの実施形態は、無線フレーム構成および関連するＣＬＩ感度情報を共有するためのｇＮＢ間シグナリング手順を効果的に設計することを目的としている。このことは、厳密に協調させた静的／半静的ＴＤＤ動作から敏速な動的ＴＤＤのケースにわたるケースを対象とできるようにスケーラブルである必要があるため、特に困難である。実施形態に従い提案されるものによって、Ｘｎベースのより進んだＴＤＤ協調手順を構築するための、まさに基本となる土台が定められる。実施形態は、Ｘｎベースの情報交換が、同じ搬送周波数で動作するセルを有する２つのｇＮＢ間のものであるケース、ならびに、異なる搬送周波数を使用し得る（異なる操作者からのものであり得る）ｇＮＢ間のものであるケースの、両方に対処する。後者は例えば、例えば３．５ＧＨｚ帯域などの同じ帯域で、二人の操作者が隣り合うキャリアを使用しているかもしれないケースに関連している。
【００５１】
以下では、いくつかの実施形態の全体概略図について、図１、図２Ａ、図２Ｂ、図３Ａ、および図３Ｂを参照して記載する。
【００５２】
特に、図１は、本実施形態に係る第１の装置の例として、ｇＮＢ１およびｇＮＢ２を示す。ただし、実施形態はｇＮＢに限定されず、装置は、ＴＤＤ無線フレーム構成を使用することによってユーザ装置への無線接続を制御する、任意の種類のネットワーク制御デバイス、例えば基地局とすることができる。図１の例では、ｇＮＢ１がｇＮＢ２にＴＤＤ無線構成をシグナリングすることが想定される。また更に、図２ＡはｇＮＢ１によって実行される処理を示しており、図２ＢはｇＮＢ２によって実行される処理を示している。
【００５３】
ｇＮＢ１は、少なくとも１つのプロセッサ１１と、コンピュータプログラムコードを含む少なくとも１つのメモリ１２と、を備える。少なくとも１つのプロセッサ１１は、少なくとも１つのメモリ１２およびコンピュータプログラムコードと共に、装置に、図２ＡのステップＳ１１に示すように、サポートされるＴＤＤ用スロットフォーマットが列挙されているリストの形態の、無線フレーム構成に関するサポートされるスロットフォーマットの情報を用意させ、ステップＳ１２に示すように、サポートされるスロットフォーマットの情報をネットワーク制御デバイス（例えばｇＮＢ２）にシグナリングさせ、スロットの数である長さＭを有するベクトルの形態の、使用される無線フレーム構成の情報を用意させ、ベクトルのｉ番目の要素は、サポートされるスロットフォーマットの情報のリスト中のエントリを示す数によって、ｉ番目のスロットにおいて使用されるスロットフォーマットを示しており、ステップＳ１３に示すように、１≦ｉ≦Ｍであり、ステップＳ１４に示すように、使用される無線フレーム構成の情報をネットワーク制御デバイスにシグナリングさせるように構成されている。
【００５４】
ｇＮＢ２は、少なくとも１つのプロセッサ２１と、コンピュータプログラムコードを含む少なくとも１つのメモリ２２と、を備える。少なくとも１つのプロセッサ２１は、少なくとも１つのメモリ２２およびコンピュータプログラムコードと共に、装置に、図２ＢのステップＳ２１に示すように、ネットワーク制御デバイス（例えばｇＮＢ１）から、サポートされるＴＤＤ用スロットフォーマットが列挙されているリストの形態の、無線フレーム構成に関するサポートされるスロットフォーマットの情報を受信させ、ステップＳ２２に示すように、ネットワーク制御デバイスから、スロットの数である長さＭを有するベクトルの形態の、使用される無線フレーム構成の情報を受信させ、ベクトルのｉ番目の要素は、サポートされるスロットフォーマットの情報のリスト中のエントリを示す数によって、ｉ番目のスロットにおいて使用されるスロットフォーマットを示しており、１≦ｉ≦Ｍである、ように構成されている。
【００５５】
このようにして、ネットワーク制御デバイス（ｇＮＢ１およびｇＮＢ２）は、サポートされるスロットフォーマットを前もって交換することができ、実際に使用されるスロットフォーマットをシグナリングするためには、サポートされるスロットフォーマットの情報を前もって参照する、使用される無線フレーム構成を含むベクトルをシグナリングしさえすればよい。したがって、使用される無線フレーム構成について別のネットワーク制御デバイスに通知する必要のあるたびごとに、サポートされるスロットフォーマットの全量を毎回明示的に示す必要はない。
【００５６】
また更に、サポートされるスロットフォーマットの情報のリスト中のサポートされるスロットフォーマットは、複数の所定のスロットフォーマット（例えば、図４の表に示すような所定のスロットフォーマット）からのサブセットであってもよい。
【００５７】
サポートされるスロットフォーマットの情報中のサポートされるスロットフォーマットの数がＮであるとき、サポートされるスロットフォーマットの情報のリスト中のエントリを示す数は数字によって表現されてもよく、この数字の数はＮを表現するために必要な数字の数である。
【００５８】
したがって、Ｎを表現するために使用される数字の数（またはビット）は、可能な全てのスロットフォーマットを表現するために必要な数字の数よりも小さく成り得る。この結果、２つのネットワーク制御デバイス（ｇＮＢ１およびｇＮＢ２）間のシグナリングからのオーバヘッドを小さくすることができる。
【００５９】
ｇＮＢ１およびｇＮＢ２（または対応する装置）は、他の要素への接続を提供するために、プロセッサ１１、２１に接続された入力／出力（Ｉ／Ｏ）ユニットまたは機能（インターフェース）１３、２３を更に備え得ることが留意される。特に、ｇＮＢ１とｇＮＢ２の間の接続がインターフェースＸｎを介して提供され得る。
【００６０】
また更に、別の実施形態によれば、使用される無線フレーム構成をシグナリングすることに加えてまたはその代わりに、クロスリンク干渉（ＣＬＩ）感度に関する情報を交換することもできる。このことは、図３Ａおよび図３Ｂに示すフローチャートを参照して記載されている。
【００６１】
例えば、図３ＡのステップＳ３１に示すように、ｇＮＢ１は、スロットの数である長さＭを有するクロスリンク干渉感度ベクトルの形態の、クロスリンク干渉感度情報を用意し、クロスリンク干渉感度ベクトルのｋ番目の要素はｋ番目のスロットにおけるクロスリンク干渉感度を示しており、１≦ｋ≦Ｍであり、ステップＳ３２に示すように、クロスリンク干渉感度ベクトルをネットワーク制御デバイス（例えばｇＮＢ２）にシグナリングしてもよい。
【００６２】
また更に、図３Ｂに示すように、ｇＮＢ２は、図３ＢのＳ４１ステップに示すように、ネットワーク制御デバイス（例えばｇＮＢ１）から、クロスリンク干渉感度ベクトルの形態のクロスリンク干渉感度情報を受信し、クロスリンク干渉感度ベクトルはスロットの数である長さＭを有し、クロスリンク干渉感度ベクトルのｋ番目の要素はｋ番目のスロットにおけるクロスリンク干渉感度を示しており、１≦ｋ≦Ｍであり、ステップＳ４２に示すように、受信されたクロスリンク干渉感度情報に基づいてスロットフォーマットを適用してもよい。
【００６３】
このようにして、ネットワーク制御デバイス（ｇＮＢ）間でクロスリンク干渉感度情報を効果的に交換することができる。
【００６４】
以下では、上記の実施形態についてより詳細に記載する。
【００６５】
特に、ほとんどのｇＮＢ実装は、全てのスロットフォーマットを実装または利用しない可能性が高い場合のあることが想定され得る。したがって、ｇＮＢがそれらのサブセットしかサポートしないようにできることが提案される。最も単純な形態では、これはスロットフォーマット０（ダウンリンクのみのサブフレーム）およびスロットフォーマット１（アップリンクのみのサブフレーム）に関してサポートされ得る。したがって、ｇＮｂが、ＸｎＡＰ手順「ＮＧ−ＲＡＮ  ｎｏｄｅ  Ｃｏｎｆｉｇｕｒａｔｉｏｎ  Ｕｐｄａｔｅ」の一部として、サポートされるＮ個のスロットフォーマットのリストをシグナリングすることが提案される。
【００６６】
ｇＮＢ（またはｇＮＢにおけるセル）に関してサポートされるＮ個のスロットフォーマットは、ベクトル［ＳｕｐｐｏｒｔｅｄＳｌｏｔＦｏｒｍａｔ＿１，ＳｕｐｐｏｒｔｅｄＳｌｏｔＦｏｒｍａｔ＿２，…，ＳｕｐｐｏｒｔｅｄＳｌｏｔＦｏｒｍａｔ＿Ｎ］によって表すことができ、ここで、３ＧＰＰがＴＳ  ３８．２１１で定義しているＮＲスロットフォーマットに従い、ＳｕｐｐｏｒｔｅｄＳｌｏｔＦｏｒｍａｔ＿ｘ∈［０，１，２，…  ２５５］である。
【００６７】
サポートされるスロットフォーマットが与えられれば、使用される無線フレーム構成を、長さＭのベクトルを用いて、１つのｇＮＢからもう１つのｇＮＢにシグナリングすることができ、ここで、そのベクトルのｉ番目の要素（１≦ｉ≦Ｍ）は、サポートされるスロットフォーマットのベクトルの要素のうちの、いずれか１つと等しい。このようにすることで、無線フレーム構成のｇＮＢ間シグナリングからのオーバヘッドが最適化される、スケーラブルな解決法が存在する。
【００６８】
例１：
１無線フレームあたりＭ個のスロットが存在する場合、および（スロットフォーマットの全セットから）使用されるもののインデックスが全てシグナリングされる場合、Ｍ×８ビットが必要となるであろう。しかしながら、提案されるスキームによれば、そのようなシグナリングに必要なビットの数がＭ×Ｗに低減される。ここでＷ＝ｌｏｇ２（Ｎ）である。したがって、ｇＮＢが例えば可能なスロットフォーマットのうちのＮ＝４のみを使用／実装する場合、無線フレーム構成のシグナリングにはＭ×８ビットと比較してＭ×２ビットしか必要とならず、これはシグナリングに必要な帯域幅の４分の１倍の縮小に相当する。
【００６９】
具体的な例として、１０個のスロットが使用され、２つのスロットフォーマット、すなわち０および１だけがサポートされるケースが想定される。その場合、サポートされるフォーマットのリストまたはベクトルは以下のようになるであろう：［０，１］。使用される無線フレーム構成のベクトルはその場合、例えば以下のようになり得る：［１，１，０，０，１，０，１，０，１，１］。これは例えば、第３のスロットにおいてスロットフォーマット０（ダウンリンクのみ、図４に示す表を参照）が適用され、第１０のスロットにおいてスロットフォーマット１（アップリンクのみ）が適用されることを示している。示されているように、使用される無線フレーム構成のベクトル中の各要素に対して、１ビットしか必要とされない。
【００７０】
無線フレーム構成のシグナリングは、ＸｎＡＰ手順「ＮＧ−ＲＡＮ  ｎｏｄｅ  Ｃｏｎｆｉｇｕｒａｔｉｏｎ  Ｕｐｄａｔｅ」におけるＩＥとして含めることができる。（上述した方法のように）ｇＮＢが使用される無線フレーム構成をシグナリングするとき、ｇＮＢがそうではないと示すまでは、ｇＮＢがその無線フレーム構成に適合することが暗黙に想定されている。
【００７１】
提案される無線フレーム構成のシグナリングに加えて、ｇＮｂが、対応するクロスリンク干渉（ＣＬＩ）感度ベクトルもシグナリングすることが提案される。ＣＬＩ感度ベクトルは、同じく長さＭを有しており、他のｇＮＢに、ＣＬＩに対する（無線フレーム構成中の）様々なスロットの感度を示す。すなわち、ＣＬＩへの感度が非常に高ければ、周囲のｇＮＢは類似のスロットフォーマットの使用を強く優先することになるが、これはこのことによりＣＬＩが最小になると考えられるからである。対照的に、感度が低いものとして示されている場合、これは、同じスロットフォーマットを使用することに、近隣のｇＮＢがそれほど注意を払わなくてもよいことを意味する。簡潔にするために、感度レベルをＨｉｇｈ、Ｍｅｄｉｕｍ、Ｌｏｗの、３つのレベルに量子化することが提案される。ただし、このスキームは当然ながら、必要であると見なされれば、より多くのレベルが可能になるように更に一般化され得る。
【００７２】
デフォルトでは、ＣＬＩ感度ベクトルは、同一チャネルで配備されたｇＮＢ、すなわち同じキャリア周波数を有するセルを有するｇＮＢに関する、ＣＬＩ感度を表す。しかしながら、適用可能性の範囲を、例えば２つのｇＮＢが異なるキャリア周波数を使用する、操作者間のケースにも拡大するためには、以下のように、ｇＮＢがＣＬＩ感度ベクトルのシグナリングに属性を追加できるべきである：ｇＮＢは、ＣＬＩ感度ベクトルを別のｇＮＢにシグナリングするとき、この感度ベクトルが適用される搬送周波数ｆｃを含めるというオプションを有するべきである。ｆｃが含まれていない場合、搬送周波数はデフォルトで、メッセージを送信しているｇＮＢが使用している同一チャネルの搬送周波数を指す。この文脈では、既出のセクションから、ｇＮＢがそのセルに関して使用される搬送周波数の設定をＸｎＡＰ手順「ＮＧ−ＲＡＮ  ｎｏｄｅ  Ｃｏｎｆｉｇｕｒａｔｉｏｎ  Ｕｐｄａｔｅ」の一部としてシグナリングすることが想定され、したがってそのような情報はＣＬＩ感度ベクトルをシグナリングする前にｇＮＢには既知であることに留意されたい。
【００７３】
以下では、提案されるシグナリングの枠組みを様々な設定／ユースケースに対してどのように使用できるかを、例によって更に記載する。
【００７４】
例２：スロット分解能に対する半静的ＴＤＤ
この例では、ＴＤＤ切替が１スロットあたりの粒度に対して実装され、かつある切替パターンに従っているケースを検討する。この場合、スロットフォーマット０および１のみが使用されることになり、したがって許可されるスロットフォーマットベクトルは［０，１］に等しくなる。１スロットあたり１ビットだけで、スロットがスロットフォーマット０または１に等しいことを示すことができ、したがって、無線フレーム構成のシグナリングには、Ｍビット（Ｍは１無線フレームあたりのスロットの数）しか必要としない。ｇＮＢの配備がＣＬＩをほぼ許容できないようなものである場合、対応するＣＬＩ感度ベクトルは、［Ｈｉｇｈ、Ｈｉｇｈ、Ｈｉｇｈ、…、Ｈｉｇｈ］に設定され得る。このことは、ＣＬＩの発生を回避すべく、他のｇＮＢが同じ無線フレーム構成の使用を目指すべきであることを示唆している。他方で、ｇＮＢが特定のスロットにおいてある程度のＣＬＩに耐え得る場合、そのｇＮＢは、（単なる例として）［Ｈｉｇｈ，Ｌｏｗ，Ｌｏｗ，Ｈｉｇｈ，Ｈｉｇｈ，Ｈｉｇｈ，…，Ｈｉｇｈ］というＣＬＩ感度ベクトルをシグナリングすることができる。スロット数１および２についての「Ｌｏｗ」の表示は、この例では、それらのスロット中に他のｇＮＢがある程度のＣＬＩを生じさせるかどうかは、それほど重要ではないことを示している。これは例えば、ｇＮＢがそれらのスロットにおいてどのユーザのスケジューリングも決して計画していない、または、周囲のｇＮＢからの追加のＣＬＩが許容可能となるような高いＳＩＮＲ値を何らかのかたちで経験するユーザのスケジューリングを計画していない場合に、許容可能であり得る。
【００７５】
例３：  無制限の完全動的ＴＤＤ動作
別の極端なケースは、ｇＮＢ何も制約を受けずに完全動的ＴＤＤモードで動作する状況である。そのようなケースでは、ｇＮＢは原則として、使用されるスロットフォーマット構成をオンザフライで決定することができる。そのような状況は、提案される枠組みによって、サポートされるスロットフォーマットが２であることを単に示すことでサポートされる。スロットフォーマット２は全シンボルについて全て「Ｘ」を有しており、したがって「Ｄ」および「Ｕ」のシンボルの選択肢の全ての実行可能な組合せを対象としていることに、留意されたい。したがって、スロットフォーマット２が（例えばＸｎＡＰ手順である「ＮＧ−ＲＡＮ  ｎｏｄｅ  Ｃｏｎｆｉｇｕｒａｔｉｏｎ  Ｕｐｄａｔｅ」手順の一部として）、ｇＮＢが使用する唯一の許可されるスロットフォーマットとしてシグナリングされる場合は、この例で意味のないことになるので、無線フレーム構成を更にシグナリングする必要はなく、またＣＬＩ感度ベクトルをシグナリングする必要もない。
【００７６】
例４：ＵＲＬＬＣに類似したサービスのための頻繁なＴＤＤ切替
例えば１ｍｓという最も厳しい遅延要件および９９．９９９％の信頼度が要求される、ＵＲＬＬＣが関与するケースでは、ＴＤＤ切替は、スロットレベルの分解能よりも高い時間分解能で行われる必要のある可能性が高いであろう。ダウンリンク送信とアップリンク送信の間のスロット間切替に関与するケースもまた、本質的に要求されること。超高信頼度の制約は、超高信頼度のＰＨＹ制御およびデータチャネル送信を要求する。一方向ダウンリンクＵＲＬＬＣ性能を実現するためには、スロットフォーマット３１のようなダウンリンク重視のスロットフォーマットに見るべきものがある。このスロットフォーマットは、開始時にダウンリンクシンボルを有し、例えばキャリアＨＡＲＱフィードバック、ＣＳＩレポート等に使用できる、２個のアップリンクシンボルが終了時に続く。同様に、一方向アップリンクＵＲＬＬＣ性能を実現するためには、スロットフォーマット３５のようなアップリンク重視のフォーマットに見るべきものがある。ｇＮＢが同じ時間においてｅＭＢＢダウンリンクおよびアップリンクのユーザにサービスできるべきであれば、ダウンリンクのみのスロットフォーマット（スロットフォーマット０）およびアップリンクのみのスロットフォーマット（スロットフォーマット１）も重要であろう。したがって、この特定のケースの場合、許可されるスロットフォーマットを有するベクトルは、以下に等しい：
［Ｓｌｏｔ  ｆｏｒｍａｔ  ０，Ｓｌｏｔ  ｆｏｒｍａｔ  １，Ｓｌｏｔ  ｆｏｒｍａｔ  ３１，Ｓｌｏｔ  ｆｏｒｍａｔ  ３５］。
この場合、使用されるスロットフォーマットのシグナリングには、無線フレーム構成中の各スロットについて、２ビットが必要である。（ＵＲＬＬＣが関与している）多くの産業用制御用途において、送信の要請は知られているタイミングで周期的に行われる。したがって、ＤＬ  ＵＲＬＬＣが想定される状況の場合、無線フレーム構成はそのような時間にスロットフォーマット３１を使用するように、および、ＵＬ  ＵＲＬＬＣ送信が想定されるときはスロットフォーマット３５を使用するように、設定される。ＣＬＩ感度ベクトルは、ダウンリンクまたはアップリンクのいずれかのＵＲＬＬＣ送信が想定される無線フレーム構成中のスロットではＨｉｇｈに設定され、この結果それらがＣＬＩから保護される。
【００７７】
例５：アクセスおよび制御シグナリング保護
システムが適切に機能するためには、システムへのアクセスおよび関連する制御シグナリングが当然ながら重要である。ダウンリンクについては、ＵＥがセルを確実に検出でき、またネットワークが新規呼の確立を望むときにページングメッセージを確実に受信できることが重要である。同様に、アップリンクについては、確実なランダムアクセスが重要である。この場合、前者に対応するために、これらのスロットについてＣＬＩ感度ベクトルをやはり「Ｈｉｇｈ」に設定することによって、無線フレーム構成を、そのような決定的な制御が保証され得るような、ダウンリンクのみのスロット（スロットフォーマット０）およびアップリンクのみのスロット（スロットフォーマット１）が規則的となる環境になるように設定することができる。
【００７８】
例６：操作者間のシナリオ
提案されるｇＮＢ間シグナリングスキームが適用可能な、関連する別のユースケースは、操作者間のシナリオに関するものである。関連するシナリオは例えば、二人（またはそれ以上）の操作者に近隣のキャリア上で３．５ＧＨｚスペクトル帯域内の周波数スペクトルが許可されているような配備である。そのようなケースでは、操作者ＡおよびＢのｇＮＢは、両者がどのキャリア周波数を使用しているかについてＯＡＭから通知を受けてもよく、またはｇＮＢは、やはり既に述べたようなＸｎＡＰ手順である「ＮＧ−ＲＡＮ  ｎｏｄｅ  Ｃｏｎｆｉｇｕｒａｔｉｏｎ  Ｕｐｄａｔｅ」手順を介して、そのような情報を交換することができる。操作者ＡおよびＢのｇＮＢはまた、それらのサポートされるスロットフォーマット、使用される無線フレーム構成、およびＣＬＩ感度ベクトルをシグナリングすることもできる。操作者ＡのｇＮＢは、操作者ＢのｇＮＢにＣＬＩ感度ベクトルをシグナリングするとき、このＣＬＩ感度ベクトルが適用される受信側ｇＮＢの搬送周波数に対応するｆｃ属性を付加することになる。ｇＮＢは異なるキャリア周波数で動作する複数のセルをホストし得るので、ｇＮＢは近隣のｇＮＢに複数のＣＬＩ感度ベクトルをシグナリングしてもよいことに留意されたい。したがって、操作者ＢのｇＮＢは、操作者ＡのｇＮＢから一部のスロットが「Ｈｉｇｈ」であるＣＬＩ感度ベクトルを受信し、このことは、操作者ＡおよびＢがこれらの特定のスロットに関してアラインスロットフォーマットを使用するのが好ましいことを示唆している。
【００７９】
追加のｇＮＢ間情報交換：
いくつかの実施形態で提示したｇＮＢ情報交換スキームは、他の情報によって完成し得る。例としては、様々なＵＥおよびｇＮＢの測定値、等が挙げられる。したがって、この情報交換は除外されない。
【００８０】
上記の例を用いて説明するように、提案される解決法は関連する多くのユースケースに適用可能であり、特定された問題に対処するものである。この解決法は新しい３ＧＰＰ  ＮＲフレーム構造等によって提示される多数のフレキシビリティ／構成オプションを完全に取り込んでおり、またこの提案される解決法は複雑さがかなり低い。
【００８１】
実施形態は既に記載したような例に限定されない。
【００８２】
例えば、上記したいくつかの実施形態によれば、サポートされるスロットフォーマットの情報および使用される無線フレーム構成は、ＸｎＡＰ手順「ＮＧ−ＲＡＮ  ｎｏｄｅ  Ｃｏｎｆｉｇｕｒａｔｉｏｎ  Ｕｐｄａｔｅ」においてｇＮＢ間でＸｎインターフェースを介して交換される。ただし、これらの実施形態はこの手順に限定されず、対応する情報は別の好適な手順によって交換されてもよい。
【００８３】
また更に、上記したいくつかの実施形態によれば、サポートされるスロットフォーマットの情報および使用される無線フレーム構成の交換に加えて、ＣＬＩ感度情報が交換される。ただし、本願の実施形態はこれに限定されず、ＣＬＩ感度情報の交換は、サポートされるスロットフォーマットの情報および使用される無線フレーム構成の交換から独立して実行されてもよい。例えば、いくつかの実施形態によれば、サポートされるスロットフォーマットの情報および使用される無線フレーム構成の交換は、実行されなくてもよい。
【００８４】
ネットワークの要素、プロトコル、および方法の名称は、現行の規格に基づいている。他のバージョンまたは他の技術では、これらのネットワークの要素および／またはプロトコルおよび／または方法の名称は、それらが対応する機能性を提供する限り、異なっていてもよい。
【００８５】
一般に、この例示の実施形態は、メモリ（メモリリソース、メモリ回路構成）１２、２２に格納されプロセッサ（処理リソース、処理回路構成）１１、２１によって実行可能なコンピュータソフトウェアによって、またはハードウェアによって、またはソフトウェアおよび／またはファームウェアとハードウェアとの組合せによって、実装され得る。
【００８６】
本願で使用される場合、用語「回路構成」は以下の全てを指す：
（ａ）ハードウェアのみの回路実装（例えば、アナログおよび／またはデジタル回路構成のみでの実装）、ならびに
（ｂ）回路とソフトウェア（および／またはファームウェア）の組合せ、例えば（適用可能であれば）：（ｉ）プロセッサの組合せ、または（ｉｉ）協働して携帯電話もしくはサーバなどの装置に様々な機能を実行させる、プロセッサ／ソフトウェア（デジタル信号プロセッサを含む）の一部、ソフトウェア、およびメモリ）、ならびに
（ｃ）動作にソフトウェアまたはファームウェアを必要とする、マイクロプロセッサまたはマイクロプロセッサの一部などの回路（ソフトウェアまたはファームウェアが物理的に存在していなくてもよい）。
【００８７】
「回路構成」のこの定義は、任意の請求項を含め、本願におけるこの用語の全ての使用に当てはまる。更なる例として、本願で使用される場合、用語「回路構成」はまた、単なるプロセッサ（もしくは複数のプロセッサ）またはプロセッサの一部、およびその（またはそれらの）付属するソフトウェアおよび／またはファームウェアの実装形態も対象とするであろう。用語「回路構成」はまた、例えば、特定の請求項の要素に適用可能であれば、携帯電話用のベースバンド集積回路もしくはアプリケーションプロセッサ集積回路、またはサーバ、セルラネットワークデバイス、もしくは他のネットワークデバイス中の、類似の集積回路も対象とするであろう。
【００８８】
用語「接続された」、「結合された」、またはそれらの何らかの変形は、２つ以上の要素の間の直接的または間接的のいずれかの任意の接続または結合を意味し、１つに「接続された」または「結合された」２つの要素間の１つまたは複数の中間要素の存在を包含し得る。要素同士の間の結合または接続は、物理的なもの、論理的なもの、またはそれらの組合せであり得る。本明細書で用いる場合、２つの要素は、非限定的な例として、１つまたは複数のワイヤ、ケーブル、およびプリント電気接続の使用によって、ならびに、無線周波数領域、マイクロ波領域、および光学（可視および不可視）領域の波長を有する電磁エネルギーなどの電磁エネルギーの使用によって、１つに「接続された」または「結合された」ものと見なすことができる。
【００８９】
メモリ（メモリリソース、メモリ回路構成）１２、２２はローカルの技術環境に適した任意のタイプのものであってよく、半導体ベースのメモリデバイス、磁気メモリデバイスおよびシステム、光学メモリデバイスおよびシステム、固定されたメモリおよび取り外し可能なメモリ、ならびに非一時的コンピュータ可読媒体などの、任意の好適なデータ格納技術を使用して実装され得る。プロセッサ（処理リソース、処理回路構成）１１、２１はローカルの技術環境に適した任意のタイプのものであってよく、汎用コンピュータ、専用コンピュータ、マイクロプロセッサ、デジタル信号プロセッサ（ＤＳＰ）、およびマルチコアプロセッサアーキテクチャに基づくプロセッサのうちの１つまたは複数を、非限定的な例として含み得る。
【００９０】
上記の説明は本発明を例示するものであり、本発明を限定するものとして解釈すべきではないことが、理解されるべきである。当業者は、添付の特許請求の範囲によって規定される本発明の真の精神および範囲から逸脱することなく、様々な修正および応用に想到し得る。
【図１】
2021525490.tif 000003
【図２Ａ】
2021525490.tif 000004
【図２Ｂ】
2021525490.tif 000005
【図３Ａ】
2021525490.tif 000006
【図３Ｂ】
2021525490.tif 000007
【図４】
2021525490.tif 000008
【国際調査報告】
2021525490.tif 000009
2021525490.tif 000010
2021525490.tif 000011